(57)【要約】      （修正有）【課題】様々な人が使用しても安全性を確保しつつ、計時器又は装飾品をその保持手段に対して保護する計時器を提供する。【解決手段】ストランド４０に固定された取り外し可能なスナップフック２０を受ける棒体１０を担持するホーン群１５００、１６００を備えた構造１０００を有する計時器又は装飾品２０００。棒体には、ホーン群の各取り付け箇所１１００、１２００から離れた位置に空欠部１１がある。空欠部の側方には、スナップフックの曲がったくちばし部２２の側方トラベルを制限し棒体に対するスナップフックの角トラベルを制限する２つの面がある。これによって、スナップフックと、棒体が固定されたホーン群間のいずれの接触をも防ぐ。【選択図】図１
2020012819.tif 000002
【特許請求の範囲】
【請求項１】
少なくとも１つのホーン群（１５００、１６００）及び少なくとも第１の細い棒体（１０）を有する構造（１０００）を有する計時器又は装飾品（２０００）であって、
前記第１の細い棒体（１０）は、第１のホーン群（１５００）の第１の取り付け箇所（１１００）に固定されているか又は前記第１の取り付け箇所（１１００）から取り外し可能であり、
前記第１の細い棒体（１０）は、前記計時器又は装飾品（２０００）が備える第１のストランド（４０）の第１の端（４１）に固定されたカラビナ状のスナップフック（２０）を取り外し可能なように受けるように構成しており、
前記スナップフック（２０）は、一方では、前記第１の細い棒体（１０）をその周部の一部上にて囲むように構成している曲がったくちばし部（２２）があるフック部（２１）を有し、他方では、弾性的であり又は前記フック部（２１）に弾性的に固定されている保持ラッチ（２３）を有し、前記保持ラッチ（２３）は、前記前記フック部（２１）とともにアイレット開口（２）を定め、
前記第１の細い棒体（１０）の軸に実質的に垂直な平面内における圧力によって前記スナップフックの前記アイレット（２４）内への前記第１の細い棒体（１０）の挿入を可能にし、ユーザーの操作なしで前記第１の細い棒体（１０）が前記スナップフック（２０）から取り外されることを防ぐように構成しており、
前記第１の細い棒体（１０）には、前記構造（１０００）に対する各第１の取り付け箇所（１１００）から離れた位置に、前記曲がったくちばし部（２２）の側方トラベルを制限し前記第１の細い棒体（１０）のまわりの前記スナップフック（２０）の角トラベルを制限するように構成している２つの面（１２、１３）が側方にある空欠部（１１）があり、
これによって、前記スナップフック（２０）と、前記第１の細い棒体（１０）が固定される前記第１のホーン群（１５００）の間のいずれの接触をも防ぐ
計時器又は装飾品（２０００）。
【請求項２】
前記第１のストランド（４０）は、前記計時器又は装飾品（２０００）が備える腕輪（１００）のストランドである
請求項１に記載の計時器又は装飾品（２０００）。
【請求項３】
前記第１のストランド（４０）は、ユーザーの衣類（５００）に取り付けられるように構成している
請求項１に記載の計時器又は装飾品（２０００）。
【請求項４】
前記フック部（２１）は、前記スナップフック（２０）よりも堅い
請求項１に記載の計時器又は装飾品（２０００）。
【請求項５】
前記第１のストランド（４０）は、その前記第１の端（４１）にて、前記曲がったくちばし部（２２）の反対側の前記フック部（２１）に取り付けられるように構成している第１のループ（４５）を有する
請求項１に記載の計時器又は装飾品（２０００）。
【請求項６】
前記フック部（２１）には、前記曲がったくちばし部（２２）の反対側に、前記第１のストランド（４０）の前記第１のループ（４５）を受けるように構成しているハウジング（２５）があり、
前記第１の細い棒体（１０）の長手方向における前記ハウジング（２５）の幅ＬＬは、、前記第１の細い棒体（１０）の長手方向における前記曲がったくちばし部（２２）の幅ＬＢの３倍よりも大きい
請求項５に記載の計時器又は装飾品（２０００）。
【請求項７】
前記第１のループ（４５）は、互いに重なり合い相補的な固定手段によって互いに取り付けられるように構成している第１の上側ストラップ片（４６）と第１の下側ストラップ片（４７）を定める
請求項６に記載の計時器又は装飾品（２０００）。
【請求項８】
前記相補的な固定手段は、ユーザーないしユーザーの衣類の形態に応じて前記腕輪（１００）の長さを調整することを可能にし前記第１の上側ストラップ片（４６）と前記第１の下側ストラップ片（４７）を互いに付着させる面ファスナーを有している
請求項７に記載の計時器又は装飾品（２０００）。
【請求項９】
前記構造（１０００）は、第２の細い棒体（６０）を有しており、
前記第２の細い棒体（６０）は、前記構造（１０００）にある第２のホーン群（１６００）の第２の取り付け箇所（１２００）に固定されているか又は前記第２の取り付け箇所（１２００）から取り外し可能であり、
前記第２の細い棒体（６０）は、前記第１のストランド（４０）にある又は前記第１のストランド（４０）に取り付けられるように構成している第２のストランド（５０）にある第２の端（４２）に固定された別の前記スナップフック（２０）、あるいは前記第１のストランド（４０）にある又は前記第１のストランド（４０）に取り付けられるように構成している第２のストランド（５０）にある第２のループ（５５）のいずれかを取り外し可能なように受けるように構成している
請求項１に記載の計時器又は装飾品（２０００）。
【請求項１０】
前記第２の細い棒体（６０）は、互いに重なり合っており相補的な固定手段によって互いに取り付けられるように構成している第２の上側ストラップ片（５６）と第２の下側ストラップ片（５７）を定める前記第２のループ（５５）を取り外し可能なように受けるように構成している
請求項９に記載の計時器又は装飾品（２０００）。
【請求項１１】
前記相補的な固定手段は、ユーザーないしユーザーの衣類の形態に応じて前記腕輪（１００）の長さ設定を調整することを可能にし前記第１の上側ストラップ片（４６）と前記第１の下側ストラップ片（４７）を互いに付着させる面ファスナーを有する
請求項１０に記載の計時器又は装飾品（２０００）。
【請求項１２】
前記第１のホーン群（１５００）は、前記第１の細い棒体（１０）を受けるように構成している第１のホーン対であり、
前記第２のホーン群（１６００）は、前記第２の細い棒体（６０）を受けるように構成している第２のホーン対である
請求項９に記載の計時器又は装飾品（２０００）。
【請求項１３】
前記第２の細い棒体（６０）には、各第２の取り付け箇所（１２００）から離れた位置にて前記第２の取り付け箇所（１２００）どうしの間の距離ＬＦの３分の１未満である幅ＬＧにわたって、前記曲がったくちばし部（２２）の側方トラベルを制限し前記第２の細い棒体（６０）に対する前記スナップフック（２０）の角トラベルを制限するように構成している２つの面（１２、１３）が側方にある空欠部（１１）があり、
これによって、前記スナップフック（２０）と、前記第２の細い棒体（６０）が固定された前記第２のホーン群（１６００）との間のいずれの接触をも防ぐ
請求項９に記載の計時器又は装飾品（２０００）。
【請求項１４】
前記空欠部（１１）の側方には、実質的に平行な２つの面（１２、１３）があり、
前記空欠部（１１）と前記曲がったくちばし部（２２）の間の間隙は、熱的な使用範囲において側方摩擦がない動作を得るように設計され、最小値までに制限され、これによって、前記フック部（２１）が前記第１の細い棒体（１０）の長手方向に実質的に垂直に動くことを強いる
請求項１に記載の計時器又は装飾品（２０００）。
【請求項１５】
前記空欠部（１１）の側方に２つの平行ではない面（１２、１３）があるように前記空欠部（１１）がフレア状に広がっていること、及び／又は前記空欠部（１１）と前記曲がったくちばし部（２２）の間の間隙が熱的な使用範囲内において側方摩擦のない動作を得るように設計されることの特徴を有し、
前記曲がったくちばし部（２２）と前記第１の細い棒体（１０）の間の接触領域における前記第１の細い棒体（１０）の長手方向に垂直な平面に対する前記フック部（２１）の傾斜運動を可能にするように構成している
請求項１に記載の計時器又は装飾品（２０００）。
【請求項１６】
前記空欠部（１１）は、前記棒体（１０、６０）が固定される前記ホーン群（１５００、１６００）の前記取り付け箇所（１１００、１２００）どうしの間の距離ＬＦの３分の１未満である幅ＬＧを有しており、
前記棒体（１０、６０）の長手方向の前記曲がったくちばし部（２２）の幅ＬＢは、前記空欠部（１１）の前記幅ＬＧ以下である
請求項１に記載の計時器又は装飾品（２０００）。
【請求項１７】
前記計時器又は装飾品（２０００）は、腕時計である
請求項１に記載の計時器又は装飾品（２０００）。
【発明の詳細な説明】
【技術分野】
【０００１】
本発明は、少なくとも１つのホーン群及び少なくとも第１の細い棒体を有する構造を有する計時器又は装飾品に関する。前記第１の細い棒体は、第１のホーン群の第１の取り付け箇所に固定されているか又は前記第１の取り付け箇所から取り外し可能であり、前記第１の細い棒体は、前記計時器又は装飾品が備える第１のストランドの第１の端に固定されたカラビナ状のスナップフックを取り外し可能なように受けるように構成しており、前記スナップフックは、一方では、前記第１の細い棒体をその周部の一部上にて囲むように構成している曲がったくちばし部があるフック部を有し、他方では、弾性的であり又は前記フック部に弾性的に固定されている保持ラッチを有し、前記保持ラッチは、前記前記フック部とともにアイレット開口を定め、前記第１の細い棒体の軸に実質的に垂直な平面内における圧力によって前記スナップフックの前記アイレット内への前記第１の細い棒体の挿入を可能にし、ユーザーの操作なしで前記第１の細い棒体が前記スナップフックから取り外されることを防ぐように構成している。
【０００２】
本発明は、腕時計のようなポータブル計時器及び数個の装飾品用の安全ファスナー及びクロージャーの分野に関し、これは、リスト上で、ユーザーによって直接例えば、着用されることができるか（両方の場合に）。又は、衣類又はユーザーによって支えられている特定のデバイス上で着用されることができる。
【背景技術】
【０００３】
腕輪やストラップや衣類に計時器又は装飾品を固定するには、その物を保持し、安全保持機構が発生させる摩擦や引っ掻きによってその物が損傷を受けることを防ぐために、注意が必要である。
【０００４】
交換可能なように計時器や装飾品を腕輪や衣類に取り付けるためには、付加的な制約がある。なぜなら、その物は、その安全性や保護性を犠牲にせずに、容易に取り外し可能でなければならないからである。
【発明の概要】
【発明が解決しようとする課題】
【０００５】
本発明は、様々な人が使用しても安全性を確保しつつ、計時器又は装飾品のような物をその保持手段に対して保護することを改善することを提案するものである。
【課題を解決するための手段】
【０００６】
このために、本発明は、請求項１に記載の計時器又は装飾品に関する。
【０００７】
添付の図面を参照しながら下記の詳細な説明を読むことで、本発明の他の特徴及び利点を理解することができるであろう。
【図面の簡単な説明】
【０００８】
【図１】本発明に係る計時器の概略平面図である。この計時器は、腕時計であり、ホーン群を備える構造を有し、各ホーン群は１つの棒体を支えており、１つの棒体には、カラビナ状のスナップフックの曲がったくちばし部を受ける実質的に中央の空欠部があり、このスナップフックは腕輪のストランドを担持している。前記空欠部は、曲がったくちばし部の水平方向の角度的な運動を制限するように構成している。別の棒体は、「面ファスナー（Velcro）」によって互いに固定された腕輪ストランドの２つの重なり合った固定用のストラップ片を担持している。
【図２】図１と同様な形態であり、本発明に係る装飾品を示している。この装飾品は、各ホーン群において、スナップフックを受ける空欠部がある１つの棒体を有する。
【図３】図１の変形実施形態の長手方向の概略断面図である。腕輪には、クラスプなどによって組み付けられた２つのストランドがある。
【図４】図２と同様な形態であり、腕輪が１つのストランドを有する図１の変形実施形態を示している。
【図５】図２と同様な形態であり、各ホーン群において、衣類に取り付けるためのスナップフックを受ける空欠部がある棒体を有する別の計時器又は装飾品を示している。一方のストランドはリベット又はスナップファスナーによって組み付けられており、他方のストランドは編み込まれている。
【図６】スナップフック側の図１の計時器にある腕輪ストランドの概略平面図である。
【図７】図６のストランドの図であり、そのスナップフックには、弾性的な保持ラッチを担持しているフック部があり、このフック部と保持ラッチは、棒体を収容するためのアイレットを定める。
【図８】直線状の空欠部がある棒体とスナップフックの間の連係を示している詳細平面図である。
【図９】棒体にフレア状に広がっている空欠部があるような、本発明に係る計時器又は装飾品のホーンの間の区画、及びスナップフックの曲がったくちばし部の概略図である。
【図１０】図９と同様な形態であり、直線状の空欠部がある棒体、及びスナップフックの曲がったくちばし部を備えた変形実施形態を示している。
【図１１】図９と同様な形態であり、Ｖ字形の空欠部がある棒体、及びスナップフックの曲がったくちばし部を備えた別の変形実施形態を示している。このスナップフックは、極限的な傾斜位置にあり、その曲がったくちばし部と棒体の空欠部の間の連係によって制限されている。また、ホーンとスナップフックの間の第１の保安距離を示している。
【図１２】図８と同様な形態であり、空欠部の輪郭が直線状であるような棒体、及びスナップフックの曲がったくちばし部を備えている同様な計時器又は装飾品を示している。このスナップフックは、ホーンの平面内における最大トラベル位置にあり、これは、そのラッチと棒体の空欠部の間の連係によって制限されている。また、ホーンとスナップフックの間の第２の保安距離を示している。
【発明を実施するための形態】
【０００９】
本発明は、腕時計ケース、装飾品ケースのような構造１０００を有する計時器又は装飾品２０００に関する。
【００１０】
この構造１０００は、少なくとも１つのホーン群１５００、１６００を有しており、特に、図示している変形実施形態の場合におけるように、この構造１０００の両側に２つのホーン群１５００及び１６００を有する。
【００１１】
構造１０００は、少なくとも第１の細い棒体１０を有しており、これは、第１のホーン群１５００の第１の取り付け箇所１１００に固定され、又はこの第１の取り付け箇所１１００から取り外し可能である。図示している変形実施形態（これに限定されない）において、構造１０００は、さらに、少なくとも第２の細い棒体６０を有しており、これは、第２のホーン群１６００の第２の取り付け箇所１２００に固定され、又はこの第２の取り付け箇所１２００から取り外し可能である。
【００１２】
この第１の棒体１０は、計時器又は装飾品２０００が備える第１のストランド４０の第１の端４１に固定されたカラビナ状のスナップフック２０を取り外し可能なように受けるように構成している。このスナップフック２０は、一方では、第１の棒体１０の周部の一部を囲むように構成している曲がったくちばし部２２を有するフック部２１を有し、他方では、弾性的である又はフック部２１に弾性的に固定されている保持ラッチ２３を有する。この保持ラッチ２３は、スナップフック２０とともにアイレット開口２４を定める。保持ラッチ２３は、第１の棒体１０の軸に実質的に垂直な平面内における圧力によってスナップフック２０のアイレット２４内に第１の棒体１０を挿入することを可能にし、ユーザーの操作なしで第１の棒体１０がスナップフック２０から取り外されることを防ぐように構成している。
【００１３】
図の変形実施形態に示している三角形のスナップフック２０の形は、アポロ計画にて宇宙飛行士を月面モジュールに接続する安全ロープに対して月面で用いるように考えられた安全カラビナと同じである。その安全カラビナの一部は月の土の上に残されている。特に、スナップフック２０は、チタン合金によって作られている。
【００１４】
本発明によると、第１の棒体１０には、構造１０００につながっている第１の取り付け箇所１１００のそれぞれから離れた位置に空欠部１１がある。幅ＬＧの空欠部１１の側方に、２つの面１２、１３がある。図１１及び１２に示しているように、これらの面１２、１３は、曲がったくちばし部２２の側方トラベルを制限し、第１の棒体１０に対するスナップフック２０の角トラベルを制限するように構成しており、これによって、スナップフック２０と、第１の棒体１０が取り付けられる第１のホーン群１５００との間のいずれの接触をも防ぐ。
【００１５】
特に、第１のストランド４０は、計時器又は装飾品２０００が備える腕輪１００のストランドである。
【００１６】
特定の変形実施形態において、図５に示しているように、第１のストランド４０は、編み込み５５０によって、又はリベット、スナップファスナーのような機械的なファスナー４５０によって、ユーザーの衣類５００に取り付けられるように構成している。
【００１７】
特に、フック部２１は保持ラッチ２３よりも堅い。例えば、フック部２１は、金属、鋼、貴合金、チタン合金などによって作られ、保持ラッチ２３は、ばね鋼、ピアノ線、炭素などによって作られる。
【００１８】
特に、第１のストランド４０には、その第１の端４１に、曲がったくちばし部２２の反対側のフック部２１に取り付けられるように構成している第１のループ４５がある。このために、フック部２１には、特に、曲がったくちばし部２２の反対側に、ハウジング２５がある。このハウジング２５は、第１のストランド４０の第１のループ４５を受けるように構成している。特に、第１の棒体１０の長手方向におけるハウジング２５の幅ＬＬは、第１の棒体１０の長手方向における曲がったくちばし部２２の幅ＬＢの３倍よりも大きい。
【００１９】
特に、第１のループ４５は、互いに重なり合う第１の上側ストラップ片４６と第１の下側ストラップ片４７を定め、相補的な固定手段によって互いに取り付けられるように構成している。特に、この相補的な固定手段は、ユーザーないしユーザーの衣類の形態に応じて腕輪１００の長さを調整するための面ファスナーを有し、この面ファスナーは、第１の上側ストラップ片４６と第１の下側ストラップ片４７を互いに付着させる。図面には、ループを格子状にし、フックを影付きにして、このようなアセンブリーを示している。
【００２０】
特に、図示している変形実施形態（これに限定されない）におけるように、構造１０００は、第２の細い棒体６０を有しており、この第２の細い棒体６０は、構造１０００の第２のホーン群１６００における第２の取り付け箇所１２００に固定されていることができ、また、この第２の取り付け箇所１２００から取り外し可能であることかできる。この第２の細い棒体６０は、第１のストランド４０にある又は第１のストランド４０に固定されるように構成している第２のストランド５０にある第２の端４２に固定された別のカラビナ状のスナップフック２０、あるいは第１のストランド４０が備える又は第１のストランド４０に固定されるように構成している第２のストランド５０が備える第２のループ５５、を取り外し可能に受けるように構成している。
【００２１】
特に、第２の棒体６０は、互いに重なり合う第２の上側ストラップ片５６と第２の下側ストラップ片５７を定める第２のループ５５を取り外し可能なように受けるように構成しており、この第２のループ５５は、相補的な固定手段によって互いに取り付けられるように構成している。特に、この相補的な固定手段は、ユーザーないしユーザーの衣類の形態に応じて腕輪１００の長さを調整し第２の上側ストラップ片５６と第２の下側ストラップ片５７を互いに付着させるための面ファスナーを有する。
【００２２】
特に、第１のホーン群１５００は、第１の棒体１０を受けるように構成している第１のホーン対であり、第２のホーン群１６００は、第２の棒体６０を受けるように構成している第２のホーン対である。
【００２３】
特に、第２の棒体６０には、第１の棒体１０と同様に、各第２の取り付け箇所１２００から離れた位置にて、かつ、第２の取り付け箇所１２００どうしの間の距離ＬＦの３分の１未満である幅ＬＧにわたって、空欠部１１があり、この空欠部１１の側方に、２つの面１２、１３があり、この２つの面１２、１３は、曲がったくちばし部２２の側方トラベルを制限し第２の棒体６０に対するスナップフック２０の角トラベルを制限するように構成している。これによって、スナップフック２０と、第２の棒体６０が固定される第２のホーン群１６００との間のいずれの接触をも防ぐ。
【００２４】
棒体１０又は６０の空欠部１１は、様々な形態であることができる。
【００２５】
図１、２、５、８、１０及び１２の変形実施形態において、空欠部１１の側方に、実質的に平行な２つの面１２及び１３があり、空欠部１１と曲がったくちばし部２２の間の間隙は、熱的な使用範囲において側方摩擦のない動作を得るように設計され、最小値までに制限される。これによって、フック部２１が棒体１０の長手方向に実質的に垂直に動くことを強いる。
【００２６】
図９（丸まった形）及び１１（Ｖ字形）の変形実施形態において、空欠部１１の側方に平行ではない２つの面１２及び１３があって空欠部１１がフレア状に広がっていること、及び／又は熱的な使用範囲において側方摩擦のない動作を得るように空欠部１１と曲がったくちばし部２２の間の間隙が設計されることの特徴があり、曲がったくちばし部２２と第１の棒体１０の間の接触領域において棒体１０の長手方向に垂直な平面に対するフック部２１の傾斜運動を可能にするように構成している。傾斜構成の使用に柔軟性があることによって、錐台形の袖のような非円筒状の面上に計時器又は装飾品２０００を着用することが容易になり、ユーザーの運動が発生させるいずれのねじれをも損傷を発生させずに耐えることができる。
【００２７】
したがって、ウェットスーツ、レーシングスーツ、スキーウェア、防護服などの上における使用が大きく促進される。変形実施形態の１つにおいて、第１の下側ストラップ片４７及び／又は第２の下側ストラップ片５７には、ユーザーないしユーザーの衣類の側にて、ゴム、エラストマー、織物、ウェビングのような摩擦低減コーティングがあり、これによって、適切な位置に留まることを確実にする。
【００２８】
特に、空欠部１１は、棒体１０、６０が固定されるホーン群１５００、１６００の取り付け箇所１１００、１２００の間の距離ＬＦの３分の１未満の幅ＬＧを有しており、棒体１０、６０の長手方向の曲がったくちばし部２２の幅ＬＢは、空欠部１１の幅ＬＧ以下である。
【００２９】
図１１は、傾斜角αである、棒体１０に対するスナップフック２０の傾斜位置を示しており、スナップフック２０の曲がったくちばし部２２は、極限的な傾斜位置にあり、曲がったくちばし部２２と棒体１０の空欠部１１の間の連係によって制限され、ホーン１５００とスナップフック２０の間には非ゼロの第１の保安距離ＳＡがある。
【００３０】
図１２は、回転角度βにおけるホーン１５００の平面内におけるスナップフック２０の平坦な回転の位置を示しており、スナップフック２０の曲がったくちばし部２２は、ホーンの平面内における極端な変位の位置にあり、曲がったくちばし部２２と棒体１０の空欠部１１の間の連係によって制限されており、ホーンとスナップフックの間には第２の保安距離ＳＢがある。
【００３１】
したがって、スナップフック２０又は腕輪の端を備える、ホーン１５００、１６００又はこれらのホーンを担持している構造１０００のいずれもまったく損傷しないことがユーザーにとって確実になる。
【００３２】
広い範囲であることができユーザーが快適であることを確実にする長さ調節を行うことができる、１つのホーン対における、容易な長さ調整、特に、面ファスナーを用いるもの、を使用することと、他方のホーン対に安全スナップフックを使用することを組み合わせることによって、非常に容積が大きい特殊なスーツの上から計時器を着用する場合のような極端な状態においても、計時器を紛失しないことだけではなく計時器を損傷しないことも確実にすることによって、使用が容易であることを確実にする。
【００３３】
変形実施形態の１つにおいて、計時器又は装飾品２０００は、腕時計である。
【００３４】
別の変形実施形態において、計時器又は装飾品２０００は、装飾品である。
【符号の説明】
【００３５】
２  アイレット開口
１０、６０  棒体
１１  空欠部
１２、１３  面
２０  スナップフック
２１  フック部
２２  曲がったくちばし部
２３  保持ラッチ
２４  アイレット
２５  ハウジング
４０、５０  第１のストランド
４１、４２  端
４５、５５  ループ
４６、５６  上側ストラップ片
４７、５７  下側ストラップ片
１００  腕輪
５００  衣類
１０００  構造
１１００、１２００  取り付け箇所
１５００、１６００  ホーン群
２０００  計時器又は装飾品
【図１】
2020012819.tif 000003
【図２】
2020012819.tif 000004
【図３】
2020012819.tif 000005
【図４】
2020012819.tif 000006
【図５】
2020012819.tif 000007
【図６】
2020012819.tif 000008
【図７】
2020012819.tif 000009
【図８】
2020012819.tif 000010
【図９】
2020012819.tif 000011
【図１０】
2020012819.tif 000012
【図１１】
2020012819.tif 000013
【図１２】
2020012819.tif 000014
【外国語明細書】
2020012819000001.pdf